【手続補正書】
【提出日】平成16年9月13日(2004.9.13)
【手続補正１】
【補正対象書類名】明細書
【補正対象項目名】全文
【補正方法】変更
【補正の内容】
【書類名】  明細書
【発明の名称】  ヒートポンプ給湯機
【特許請求の範囲】
【請求項１】
圧縮機と、この圧縮機から吐出された冷媒と給水管から導入された水とを熱交換する第１熱交換器と、この第１熱交換器からの冷媒を減圧する減圧装置と、この減圧装置と前記圧縮機の間に設けられた第２熱交換器とを有するヒートポンプ回路と、
前記第１熱交換器で冷媒と熱交換した湯水の温度と設定された温度とに基づき前記圧縮機の回転数を制御する制御手段と、
前記給水管から導入され前記第１熱交換器を介して加熱された湯水と、前記給水管から導入された水とを混合する混合手段とを備えたヒートポンプ給湯機。
【請求項２】
圧縮機と、この圧縮機から吐出された冷媒と給水管から導入された水とを熱交換する第１熱交換器と、この第１熱交換器からの冷媒を減圧する減圧装置と、この減圧装置と前記圧縮機の間に設けられた第２熱交換器とを有するヒートポンプ回路と、
前記第１熱交換器で冷媒と熱交換した湯水の温度と設定された温度とに基づき前記圧縮機の回転数を制御する制御手段と、
前記第１熱交換器と使用端末との間の配管に設けられ、前記給水管から導入され前記第１熱交換器を介して加熱された湯水と、前記給水管から導入された水とを混合する混合手段とを備えたヒートポンプ給湯機。
【請求項３】
複数の圧縮機と、これら圧縮機から吐出された冷媒と給水管から導入された水とを熱交換する第１熱交換器と、この第１熱交換器からの冷媒を減圧する複数の減圧装置と、これら減圧装置と前記圧縮機の間に設けられた第２熱交換器とを有する複数のヒートポンプ回路と、
前記第１熱交換器で冷媒と熱交換した湯水の温度と設定された温度とに基づき前記圧縮機の回転数を制御する制御手段と、
前記給水管から導入され前記第１熱交換器を介して加熱された湯水と、前記給水管から導入された水とを混合する混合手段とを備えたヒートポンプ給湯機。
【請求項４】
圧縮機と、この圧縮機から吐出された冷媒と給水管から導入された水とを熱交換する第１熱交換器と、この第１熱交換器からの冷媒を減圧する減圧装置と、この減圧装置と前記圧縮機の間に設けられた第２熱交換器とを有するヒートポンプ回路と、
前記第１熱交換器で冷媒と熱交換した湯水の温度と設定された温度とに基づき前記圧縮機の回転数を制御する制御手段と、
前記第１熱交換器で加熱された湯の温度が設定温度よりも高いとき、前記給水管から導入され前記第１熱交換器を介して加熱された湯水と、前記給水管から導入された水とを混合する混合手段とを備えたヒートポンプ給湯機。
【発明の詳細な説明】
【０００１】
【発明の属する技術分野】
本発明はヒートポンプ回路を利用した給湯機に関する。
【０００２】
【従来の技術】
従来の給湯機には貯湯槽を持たずにガス等を燃焼させて、その強力な燃焼熱で瞬間的に水を沸き上げて湯を供給する燃焼式給湯機や、大容量の貯湯槽を持ち夜間割引の安い深夜電力を利用して、夜の間に電気ヒータで加熱した大量の湯を貯湯槽に貯蔵し、日中に貯湯槽に貯蔵した湯を使う電気温水器等があった。
【０００３】
しかし、最近では電気温水器に比較してエネルギー効率が３００〜５００％も良いと云われるヒートポンプ給湯機が普及し始めてきた。ヒートポンプ給湯機は熱源に冷媒の状態変化を利用しているので、電気ヒータ加熱の数倍エネルギー効率が良く、またガス等を燃焼しないのでＣＯ２を排出せず環境にやさしい給湯機と云われている。しかし、ガス等を燃焼したときのように強力な熱量がないため、電気温水器と同様に大容量の貯湯槽を設け、夜間の安価な電力を使って夜中にヒートポンプ回路で湯を沸き上げて貯湯槽に貯蔵し、日中は貯蔵した湯を使うと云う方法が一般的であった。したがって、従来のヒートポンプ給湯機ではヒートポンプ回路と、ヒートポンプ回路で沸かした湯を大量に貯蔵しておく貯湯槽をそれぞれ別個の装置として設け、配管等で接続して給湯機として機能させていた。
【０００４】
この例として特開平９−１２６５４７号公報に記載されたヒートポンプ給湯機が知られている。圧縮機、凝縮器、減圧装置、蒸発器から構成されたヒートポンプ回路と、大容量の貯湯槽を備え、貯湯槽の下部から循環ポンプを介してヒートポンプ回路の凝縮器となる水熱交換器に水配管を接続し、水熱交換器の出口と貯湯槽の上部に温水配管を接続して沸上げ回路を設けている。
【０００５】
そして、夜間の安価な電力を利用してエネルギー効率の良いヒートポンプ回路を運転し、貯湯槽内の水を循環ポンプで循環させながら水熱交換器で所定の湯温になるまで徐々に温め、所定の湯温に達したことを温度検知器で検知してヒートポンプ回路の運転を停止している。
【０００６】
日中、使用端末で湯を使用する際には貯湯槽上部から取り出した湯と水道水とをミキシングバルブで混合することで適当な温度にして供給する。
【０００７】
なお、貯湯槽の湯温が低下したときは、出湯経路については詳細記載されていないが、貯湯槽の湯を水熱交換器及びヒータで再加熱して使用端末に供給することが記載されている。
【０００８】
【発明が解決しようとする課題】
しかしながら、貯湯槽に貯蔵した湯で浴槽に湯を満たすことを考えると貯湯槽の容量は浴槽と同様２００Ｌ近くになり、さらにその他の湯の使用に対してある程度余裕を見ると５００Ｌ必要となるケースもある。貯湯槽の容量一杯に湯をためた場合、その質量は２００ｋｇ乃至５００ｋｇを超えることになる。したがってヒートポンプ給湯機は地盤を堅固なものとするために基礎工事を行い、しかも十分な広さの設置スペースでなければ設置することができなかった。
【０００９】
さらに、大量の湯を沸き上げるためには大量のエネルギーが必要になり、また、高温の湯として貯蔵することは外気温度との差が大きくなり、放熱による熱損失が大きくなるため更に余分なエネルギーを使用することになっていた。
【００１０】
このため、アパートやマンションのベランダのような狭い場所や強度の不十分な場所には据え付けることができなかった。
【００１１】
また、従来のヒートポンプ給湯機は夜間の安い電気料金を利用して、夜中にヒートポンプ回路を運転して高温の湯にして貯湯槽に貯え、日中はヒートポンプ回路を運転しないで貯湯槽に貯まっている湯を使用するという使い方を基本的に行っているため、時には貯湯槽の湯を使いきってしまい、直ぐに沸き上げることができず湯切れを起こすことがあった。上記特開平９−１２６５４７号公報に記載のヒートポンプ給湯機においても、電気温水器と同様夜間電力を利用して貯湯し、湯が不足したときに追炊き運転を行うもので、この追炊き運転は補助的なものである。
【００１２】
また、外気温度より温度の高い大量の湯を貯蔵するため貯湯槽の表面から熱が放射されてエネルギーの無駄使いになり、それによって温度が下がる分、夜の間に余裕を持って温めておく必要があった。
【００１３】
本発明の目的は、設置に必要なスペースや質量が小さい給湯機とした場合に出湯温度が設定温度になるような給湯機を提供することにある。
【００１４】
【課題を解決するための手段】
上記目的は、圧縮機と、この圧縮機から吐出された冷媒と給水管から導入された水とを熱交換する第１熱交換器と、この第１熱交換器からの冷媒を減圧する減圧装置と、この減圧装置と前記圧縮機の間に設けられた第２熱交換器とを有するヒートポンプ回路と、前記第１熱交換器で冷媒と熱交換した湯水の温度と設定された温度とに基づき前記圧縮機の回転数を制御する制御手段と、前記給水管から導入され前記第１熱交換器を介して加熱された湯水と、前記給水管から導入された水とを混合する混合手段とを備えたヒートポンプ給湯機とすることにより達成される。
【００１５】
上記目的は、圧縮機と、この圧縮機から吐出された冷媒と給水管から導入された水とを熱交換する第１熱交換器と、この第１熱交換器からの冷媒を減圧する減圧装置と、この減圧装置と前記圧縮機の間に設けられた第２熱交換器とを有するヒートポンプ回路と、前記第１熱交換器で冷媒と熱交換した湯水の温度と設定された温度とに基づき前記圧縮機の回転数を制御する制御手段と、前記第１熱交換器と使用端末との間の配管に設けられ、前記給水管から導入され前記第１熱交換器を介して加熱された湯水と、前記給水管から導入された水とを混合する混合手段とを備えたヒートポンプ給湯機とすることにより達成される。
【００１６】
上記目的は、複数の圧縮機と、これら圧縮機から吐出された冷媒と給水管から導入された水とを熱交換する第１熱交換器と、この第１熱交換器からの冷媒を減圧する複数の減圧装置と、これら減圧装置と前記圧縮機の間に設けられた第２熱交換器とを有する複数のヒートポンプ回路と、前記第１熱交換器で冷媒と熱交換した湯水の温度と設定された温度とに基づき前記圧縮機の回転数を制御する制御手段と、前記給水管から導入され前記第１熱交換器を介して加熱された湯水と、前記給水管から導入された水とを混合する混合手段とを備えたヒートポンプ給湯機とすることにより達成される。
【００１７】
上記目的は、圧縮機と、この圧縮機から吐出された冷媒と給水管から導入された水とを熱交換する第１熱交換器と、この第１熱交換器からの冷媒を減圧する減圧装置と、この減圧装置と前記圧縮機の間に設けられた第２熱交換器とを有するヒートポンプ回路と、前記第１熱交換器で冷媒と熱交換した湯水の温度と設定された温度とに基づき前記圧縮機の回転数を制御する制御手段と、前記第１熱交換器で加熱された湯の温度が設定温度よりも高いとき、前記給水管から導入され前記第１熱交換器を介して加熱された湯水と、前記給水管から導入された水とを混合する混合手段とを備えたヒートポンプ給湯機とすることにより達成される。
【００１８】
【発明の実施の形態】
以下、本発明の実施例を図によって説明する。図１は本発明のヒートポンプ給湯機の１実施例である。
【００１９】
まず、冷凍サイクルから説明する。それぞれの機器は冷媒配管で接続されていて、その中に冷媒を封入して密封し、ヒートポンプ回路１０を構成しており、給湯に必要な大能力を実現させるため、さらにもう１つのヒートポンプ回路１０ａを追加した２つのヒートポンプ回路からなる。なお、本実施例においては、２つのヒートポンプ回路により給湯器を構成したが、圧縮機や熱交換器の性能、給湯能力によって１つの回路でも３つ以上の回路を用いても良い。
【００２０】
圧縮機１及び圧縮機１ａにより圧縮された冷媒（二酸化炭素）は、熱交換器２に流入される。熱交換器２は、冷媒を凝縮させる凝縮器３、３ａと湯水を沸き上げる水熱交換器１１さらに浴槽水熱交換器４４が一体に組込まれている。熱交換器２から流れ出た冷媒は減圧装置５、減圧装置５ａの作用によって減圧され低温低圧の冷媒となる。そして、蒸発器６、蒸発器６ａにおいて、送風機９及び送風機９ａによって送風される外気から熱を吸収して、アキュムレーター７、アキュムレーター７ａを介して再び圧縮機１及び圧縮機１ａに吸入される。
【００２１】
８及び８ａはバイパス弁で、これを開くことによって圧縮機１及び圧縮機１ａから吐出される高温高圧の冷媒を蒸発器６及び６ａに通流させることで、蒸発器６及び６ａに付着した霜を融解させる(除霜制御)。この除霜制御のタイミングは、２つの冷媒回路同時であっても良いし、ずらしても良い。ずらした場合は、能力が多少低下するが間断無く給湯ができるという効果がある。
【００２２】
次に、水道管１６から水を取り入れ、熱交換器２を介して直接利用側に給湯し、または後述するように内部で水を循環させることで所定の温度に沸かし上げる水循環回路２２の給湯回路について説明する。
【００２３】
この水循環回路２２には、熱交換器２、減圧逆止弁１７、流量センサー２１、逆止弁４８、４９、給湯タンク１３、循環ポンプ１５、給湯タンク１３からの湯と水熱交換器１１からの出湯を混合するミキシングバルブ６１、ミキシングバルブ６１からの湯と水を混合するミキシングバルブ６２、湯の流量を調整する流量調整弁６３を水配管で接続して構成している。
【００２４】
また、浴槽水回路は熱交換器２と、注湯電磁弁５１、逆止弁５０、水位センサー６０、浴槽用の循環ポンプ４６で構成されている。
【００２５】
本実施例に係るヒートポンプ給湯機は、従来のように大型の貯湯槽を用いることなく小型軽量な給湯機とする。すなわち、ヒートポンプ回路１０の高温の冷媒と水循環回路２２の水を水熱交換器１１にて熱交換することで湯を沸かす給湯機において、給水管１６から導入された水を水熱交換器１１によって昇温してそのまま使用端末２７に給湯する瞬間式とすることで、従来の大型の貯湯タンクを不要とすることができる。また、ヒートポンプ回路１０の運転開始直後の圧力条件が安定するまでは水を温めるのに充分な凝縮熱を発生させることができないので、その立ち上がりの短時間は給湯タンク１３に貯蔵している湯と水熱交換器１１からの水を混合して給湯することで、設定温度を保ちつつ給湯タンク１３の小型化を図ることができる。そして、ヒートポンプ回路１０の運転が安定し、設定温度の湯を沸かし上げる状態になったとき、給湯タンク１３に貯湯されている湯の使用を止めて直接給湯するようにした。以下、詳細に説明する。
【００２６】
ヒートポンプ給湯機への水の供給を説明する。給水管１６から供給された水は、減圧逆止弁１７に流入し、この先一方は給水管１９を介して給湯タンク１３に、もう一方は水熱交換器１１との間に接続された水配管を介して熱交換器２に分流する。また、使用端末２７への給湯はミキシングバルブ６１、６２、流量調整弁６３を通り設定温度にされ供給される。
【００２７】
本実施例に示すヒートポンプ給湯機は、基本的に給水管１６から供給された水を熱交換器２によって使用者が設定した温度に上昇させ、使用端末２７に給湯する瞬間湯沸し器を想定している。このため、冷凍サイクルの能力が高い場合や水熱交換器１１の性能が高ければ、給湯タンク１３を設ける必要がない。このため、重量や設置スペースを取っていた従来の電気温水器よりも飛躍的にコンパクトな給湯機になる可能性がある。
【００２８】
しかし、給水される水の温度が低い、冷凍サイクルが安定してなく熱交換器２が十分に温まっていないといった理由から、給湯温度が設定温度に達しない場合がある。
【００２９】
そこで、本実施例では、必要最小限の給湯タンク１３を設置し、熱交換器２から出力される水の温度が設定温度に達するまで、補助的に給湯タンク１３に貯められた湯を使用して使用端末２７における給湯温度を確保するものである。
【００３０】
場合によってはいつまでも熱交換器２から出力される湯の温度が上昇しない場合も考えられる。この場合、使用端末２７での湯の使用が中断したときに、給湯タンク１３内に所定の高い温度の湯を貯湯することで、次の湯の使用時に設定温度の湯の給湯を確保することができる。各部の動作については、以下の説明により次第に明らかになる。
【００３１】
ミキシングバルブ６１は、前述したようにヒートポンプ回路運転開始直後、熱交換器２（水熱交換器１１）から出てくる湯の温度が充分に上がりきらないときに、補助的に給湯タンク１３の湯を混合して設定温度となった湯を使用端末２７に供給するためのバルブである。なお、ミキシングバルブ６１と給湯タンク１３とは給湯管２０によって接続されている。
【００３２】
また、ミキシングバルブ６２は、ミキシングバルブ６１から供給される湯の温度が設定温度よりも高い場合、給水管１６から供給される水と混合することで湯温を低下させ設定温度にする機能を有している。
【００３３】
さらに、流量調整弁６３は、給湯量が予定の総量を超えないように流量を規制する機能を有する弁である。
【００３４】
また各部には、給水温度センサー５２、水熱交換器出口水温センサー５３、混合された給湯タンクの湯と水熱交換器出口水の温度を測る水温センサー５４、最終的な出湯水温を測定する出湯温度センサー５５、給湯タンク１３の残湯量を測定するためのタンク温度センサー５６（ａ、ｂ、ｃ）が、また冷凍サイクル側には、蒸発器６、６ａの中間温度を測定する蒸発器温度センサー５８、５８ａが、圧縮機１の吸込み温度を感知する吸込み温度センサー５９、５９ａが配置されている。
【００３５】
そしてヒートポンプ回路１０、１０ａ、給湯タンク１３を含めた水循環回路２２およびその他の機器が後述する箱体２３の中に収納されている。
【００３６】
使用端末２７として、キッチン等の蛇口２４、浴室のシャワー２５、また注湯電磁弁５１と逆止弁５０で区切られた浴槽２６等が設けられている。この逆止弁５０は、給水管１６から供給された湯水に浴槽２６の湯水が衛生上混ざらないようにするための弁である。なお、本実施例では特に明記していないが必要に応じて水用の端末がそれぞれの端末に付設されることになる。
【００３７】
本実施例に係るヒートポンプ給湯機はこのような構成を備え、以下説明するような動作を行う。ヒートポンプ給湯機は電気温水器に比較してエネルギー効率が３００〜５００％良いと云われている。このヒートポンプ回路１０を利用して、瞬間湯沸器のように直接、使用端末に湯を供給しようとするものである。しかし、前にも説明したようにヒートポンプ回路１０は運転開始直後からヒートポンプ回路が安定するまでの間は、水熱交換器１１で水を温めるのに必要な凝縮熱を充分に供給することができず、使用端末２７に温かな湯を直接供給することができない。本実施例のヒートポンプ給湯機ではその立ち上がりの数分間を、小容量の給湯タンク１３内に貯蔵している高温の湯を補助的に供給して使用するものである。
【００３８】
まず、給湯タンク１３の容量について説明する。極端な場合は除くとして、一般家庭でのシャワーの水量は１１．８リットル／分であり、台所が８.５リットル／分であり、洗面所が７．５リットル／分であり、連続使用時間が、シャワーが９.７分、台所が１３.４分である。同時に使う場合を考慮しないとすると、必要な連続した湯の供給量は約１１４リットルである。給湯温度を４０℃とし、給湯タンク１３に貯湯されている湯温をサルモレナ菌等が死滅する温度といわれている６０℃とし、熱交換器２から供給される水の温度を最悪の状態を考えて８℃と仮定する。この条件で、給湯タンク１３に貯湯しなければならない湯量を計算すると、約７０リットルである。しかし、熱交換器２から供給される水の温度が常に８℃は考えることができないので、これよりも１０℃高いおよそ１８℃になっていれば給湯タンク１３の容量は６０リットルで済む。
【００３９】
また、現在市販されているパッケージエアコンの室外機の大きさを家庭用給湯機として許容される大きさとすると、高さ１.４ｍ、幅０.９ｍ、奥行き０.３ｍ位であり、給湯タンク１３の形状を円筒形状とし、給湯タンク１３を室外機の箱体内に収納するとした場合、許容し得る最大の大きさは、給湯タンク１３の直径が０.３ｍであり、高さが１.４ｍである。この容量は０.１立方メートル（１００リットル）である。
【００４０】
以上を纏めると、給湯タンク１３の貯湯容量として６０リットルから１００リットルの範囲が望ましい。この範囲に給湯タンク１３の貯油容量を収めると、上記したように湯の使用に支障を来たさない範囲で、パッケージエアコンやルームエアコンのように室外機を一つの箱の中に収納することができる。すなわち、給湯タンク１３を、主な構成要素である圧縮機１、室外熱交換器６、水熱交換器１１及び減圧装置５と共に一つの筐体内に収納することができる。
【００４１】
ところで、ＣＦＣ系フロン冷媒を用いた冷凍サイクルでは、６０℃がほぼ最高に沸き上げた場合の温度となるが、冷媒として二酸化炭素（ＣＯ２）を用いるとさらに湯温を上昇させることができ、これを上昇させた分だけ、給湯タンク１３の貯湯容量を少なくしても良い。
【００４２】
さて、風呂２６以外の使用端末が利用された場合、流量センサー２１が端末の使用を感知し、圧縮機１を起動してヒートポンプ回路１０の運転を開始する。運転初期の段階では、ヒートポンプ回路１０は、まだ立ち上がり状態であるため、給湯タンク１０を利用した給湯運転となる。給水管１６から導水された水は、減圧弁１７、給水管１９を介して給湯タンク１３の下部に至る。給湯タンク１３では、その下部から水が供給され、その水圧により給湯タンク１３の上部に貯まっていた高温の湯は給湯管２０に押し出される。
【００４３】
一方、給水管１６からの水は冷凍サイクル１０により水を加熱するため水熱交換器１１に流れる水回路に分かれる。給湯タンク１３からの湯と水熱交換器１１からの出湯を混合するミキシングバルブ６１で設定された温度になるように温度センサー５４で温度を感知し、貯湯タンク１３からの湯と、冷凍サイクル１０より加熱された水熱交換器１１からの水の量で調整する。この運転初期の場合、水熱交換器１１を通過してくる水は十分に温められていないため給湯タンク１３からの湯の量が多く、水熱交換器１１を流れる水の量は少なくなる（混合運転モード）。ここで運転初期段階において、水熱交換器１１を流れる水の量を少なくし
た場合、少量の水のため温度を急激に上昇させる事ができる。
【００４４】
なお、この混合運転モードにて、使用端末２７の湯の温度が高すぎる（設定値以上となる場合）、ミキシングバルブ６２が開かれ給水管１６からの水が混合され湯温が調節される。
【００４５】
運転が継続するとヒートポンプ回路１０は徐々に安定し始め、水熱交換器１１から出湯される湯の温度も高温となり、給湯タンク１３からの湯と水熱交換器１１からの出湯を混合するミキシングバルブ６１は、徐々に給湯タンク１３からの出湯を絞り込んでゆき、水冷媒熱交換器１１からの出湯温度が設定温度となった場合に、給湯タンク１３からの出湯を全閉しヒートポンプ回路１０より加熱された水熱交換器１１を通過した湯のみで端末に湯を供給できるようになる（瞬間湯沸しモード）。
【００４６】
この時設定された温度で端末に湯を供給するために、温度センサー５５で温度を感知し、水熱交換器１１から出湯しミキシングバルブ６１を通過した湯と、バイパスされた水を混合するミキシングバルブ６２で、設定された湯を端末に供給する。特に夏場など給水管１６から供給される水の温度が高い場合、水熱交換器１１から出力される湯の温度が設定温度より高くなる。このとき設定温度になるようにミキシングバルブ６２を調節することで適宜水を混合して端末に湯を供給する（水混合モード）。
【００４７】
なお、冷凍サイクル１０を圧縮機１の回転数を制御できるインバータ制御とすれば、水熱交換器１１の出湯温度を温度センサー５３で感知し、圧縮機１の回転数を制御し設定された水温になるようにすることができる。
【００４８】
さらに、冷凍サイクル１０自身は、蒸発器６の中間に配置された温度センサー５８と圧縮機吸込み温度センサーの差が一定になるように膨張弁５が調整される。
【００４９】
そして使用端末が閉められた場合、流量センサー２１がそれを感知し、給湯タンク１３の湯温が設定値以下である場合、給湯タンク１３の追炊き運転に移行する。
【００５０】
給湯タンクの追炊き運転は、冷凍サイクル１０を運転させたまま、水熱交換器出口温度が高温（貯湯温度）になるのを待ち、ポンプ１５を運転させる。これにより給湯タンク１３の下部にたまった水は、水熱交換器１１に至り高温の湯となり、逆止弁４９を介して給湯タンク１３の上部に戻される。この逆止弁４９は上記通常給湯時でタンクよりの出湯がミキシングバルブ６１で全閉となった時の給湯タンク１３からの出湯を防ぐ役割を果たす。
【００５１】
また、この時の水熱交換器出口温度は圧縮機１の回転数、循環ポンプ１５の流量を変化させることにより行い、タンク温度センサー５６により給湯タンク沸上げ完了を感知し、給湯タンク１３の追炊きを終了し、待機状態となる。
【００５２】
なお、給湯タンク１３から端末への出湯は、給水管１６からの水の供給により行われるため、満タン状態が保たれ、給油タンク１３内の湯量が減少することは原則的にない。据付完了時や長期間使用しないときに給湯タンク１３内の湯を抜いた後の使用開始時は給湯タンク１３内に湯がないので給水（給湯）する必要がある。この場合、使用端末２７のシャワー２５や蛇口２４を開放すると、給水管１６からの水は、水熱交換器１１を介して使用端末１１に流れる。このとき、出湯温度センサー５５の検出値は低温を検出するため、ミキシングバルブ６２は、湯側のみとなる（給水管１６からの水は混合されない）。また、出湯温度センサー５４の検出値も低温となるため、ミキシングバルブ６１は水熱交換器１１からの湯と給湯タンク２０からの水とが混合されるように開く。しかし、給湯タンク１３内には未だ水が張られていないので水がミキシングバルブ６１を介して給湯タンク１３から出力されない。そして、ミキシングバルブ６1が給湯タンク１３側も開いたことにより、空気が抜けるようになったため、給水管１６からの水は水熱交換器１１に流れると共に給湯タンク１３にも流れ込む。そして、満タンになったときに使用側端末２７の栓を止めると先に説明した給湯タンク１３の追炊きが開始される。
【００５３】
ところで、冷凍サイクル１０の圧縮機１をインバータ化したとしても冷凍サイクルには、最低能力と最高能力が存在してしまう。給湯に必要とされる能力は、給水温度センサー５２、流量センサー２１、設定出湯温度で推測することができる。
【００５４】
もし、必要給湯能力が冷凍サイクルの最低能力以下の場合、冷凍サイクル１０は運転することなく、通常給湯時と同様の回路（水熱交換器１１からの湯（水）と給湯タンク１３からの湯とを混合する運転回路）を使用し給湯タンク１３のみで設定温度で出湯させる。タンク内の残湯量（湯温が低くなった）が少なくなった場合にタンク追炊き運転を行いタンクに湯を補給する運転とする。
【００５５】
ガス給湯機のような瞬間湯沸し機は、補助タンクを持ち合わせていないため、最低能力以下では給湯することができない（使用側端末の混合栓で温度調整する）が、本実施例では、給湯タンク１３を持っているためこのような場合でも端末に設定温度で給湯することができる。
【００５６】
また、給湯能力が、冷凍サイクル１０の最大能力を超えてしまった場合は、流量調整弁６３を絞り流量を調整することで設定出湯温度にして出湯させる構造とする。
【００５７】
通常ヒートポンプ式の給湯機は深夜電力を利用し、３００リットル以上の大型タンクに７０℃〜９０℃に水を沸上げ貯湯することになり、高温で沸き上げなくてはいけないため熱効率は低下するが、本発明によれば、端末で必要とする湯の温度（例えば一般に使用される４２℃）で湯を沸き上げるため、他のヒートポンプ式給湯機と比較し熱効率は非常に良くなる。
【００５８】
浴槽２６に給湯、お湯張りをする場合、上記同様の給湯運転をし、注湯電磁弁５１を開くことにより、浴槽２６に湯を張る。また浴槽２６への注湯が途切れた場合浴槽２６の湯が逆流してしまうことが考えられるので、衛生面を考慮して、逆止弁５０によりこれを防いでいる。
【００５９】
また、浴槽２７への注湯、お湯張りは１８０リットル以上ものお湯を張るため、上記の給湯運転の場合と変え、運転初期では、給湯タンク１３の湯を使用せずに、ヒートポンプ回路１０を運転し、直接水熱交換器１１の水を注湯する運転としても良い。これは浴槽２６に湯を張るためには１８０リットル以上の湯が必要であり、冷凍サイクル１０の立ち上がり時間は、全体に対してわずかであるためである。浴槽２６の水位は水位センサー６０で監視しているため、設定水位となった場合に浴槽への注湯、お湯張り運転を中止する。
【００６０】
次に風呂の追炊きについて説明する。従来の風呂釜と同様に既に浴槽２６に、水が張ってあり、これを沸かそうとした場合、大きなタンクに貯湯してある電気温水器等では浴槽に張ってある水を沸かすことができなかった。
【００６１】
しかし、本実施例では、冷媒を凝縮させる凝縮器３と湯水を沸き上げる水熱交換器１１さらに浴槽水熱交換器４４が一体に組込まれている熱交換器２としているため、ヒートポンプ回路１０を運転し、循環ポンプ４６を運転させ浴槽２６に張られた水を循環させることにより、浴槽内の水を沸上げることができる。即ち、浴槽２６に張られた水は、循環ポンプ４６によって浴槽水熱交換器に送られ昇温され、再び浴槽２６に戻される。そして、浴槽水熱交換器４４の上流側に設けられ、浴槽内の水温を検出する風呂温度センサー５７の検出値が、設定温度になったとき、ヒートポンプ回路（主に圧縮機１）及び循環ポンプ４６の運転を止める機能を有している。すなわち、自動的に浴槽内の湯温を設定値に保つ自動機能を持たせている。
【００６２】
上記の様に、浴槽２６に対して注湯、お湯張り、またお湯沸しができることから、浴槽２６の湯が少なくなった場合のお湯足し、お湯がぬるくなった場合の追焚き等多彩な風呂自動機能を有する。
【００６３】
また運転初期の過渡時期の時間と水の温度の関係を実験した特性曲線を図２に示す。
【００６４】
一般家庭における使用端末２７で使用する湯の温度や湯の量は約４０〜４２℃で６〜８リットル／分と云われている。これを元に冬季の外気条件を加味して実験では、供給する水の温度を８℃にしている。
【００６５】
グラフは、ヒートポンプ回路１０を運転すると同時に水熱交換器１１に水を供給した時、水熱交換器１１出口の水温の変化を表わしたものである。水熱交換器１１の入口に８℃の水を供給して、水熱交換器１１の出口の湯温が４２℃になるまで約７分間を要することが分かる。
【００６６】
キッチンの蛇口２４やシャワー２５で湯温が上がるまでの７分間を、待ち続けることは我慢できない。
【００６７】
本実施例ではこの実験を元に、約３０リットルの小容量の給湯タンク１３（現実的には、余裕をもって９０リットル）を設け、約６０℃の湯を貯蔵している。
【００６８】
使用端末では６０℃の湯に、初期値として８℃の水熱交換器１１からの水道水を加えて４２℃に薄めて使用することになるので、例え水熱交換器１１からの水温が、８℃のまま変化しなくても６０℃の湯が３０リットルあれば約５分間を補償することができる。また、この程度の大きさの給湯タンクならばヒートポンプ回路箱体の中に一体に収納できるので、従来のヒートポンプ給湯機のように広い設置スペースを必要とすることもなく、また質量も小さいので強固な地盤をも必要としないので、アパートやマンションのベランダ等にも設置が可能になる。
【００６９】
次に給湯タンク１３の組込み位置について説明する。給湯タンク１３の組込み位置は図３のようにヒートポンプ回路１０の下部に設ける構造、図４のようにヒートポンプ回路１０の上部に設ける構造、あるいは図５のようにヒートポンプ回路１０の横に設ける構造等が考えられる。
【００７０】
図３のようにヒートポンプ回路１０の下部に設けた場合には湯の入った給湯タンク１３が箱体の下部にあるためヒートポンプ給湯機の安定性が良くなり、また、製造工程においても給湯タンク１３の上に順々に組み立てることができるので作業性が良く、サービスにおいても箱体２３を外すだけで内部の機器を簡単に点検できるのでサービス性が向上する。なお、３０は制御回路であって、圧縮機１、減圧装置５、各種ミキシングバルブ、ファン９等を各種センサー等の出力に基づいて制御するものである。以下の図についても同様である。
【００７１】
しかし、箱体の下部に設けた場合には、高温の湯を貯蔵した給湯タンク１３が地面に近いため、給湯タンク１３の表面から放熱量が多くなり余分なエネルギーを浪費することになる。これを避けるため、組立て性、サービス性を多少犠牲にして給湯タンク１３を図４に示すようにヒートポンプ回路１０の上部に設けることが考えられる。この場合には、ヒートポンプ回路１０で発生した熱が給湯タンク１３を包むようになるため、給湯タンク１３からの余分な放熱を減らすことができる。
【００７２】
また、図５に示すように、ヒートポンプ回路１０の横に設置して組立て性、サービス性を確保したまま、給湯タンク１３からの無駄な放熱量を押さえることも可能である。
【００７３】
あるいは図６のように、箱体の中に一体に収納することを止め、ヒートポンプ回路１０を納めた箱体の脇に給湯タンク１３を設置することも考えられる。この場合、冷媒に関するヒートポンプ回路１０と給湯に関する水廻り部分が別個になり、それぞれ平行して製品を生産することができので、製品の生産性が良くなり、据付けにおいてもそれぞれ別個に作業ができるので据付け工事が容易となり、サービスにおいてはサービスの作業性をより改善することができる。
【００７４】
【発明の効果】
本発明によれば、設置に必要なスペースや質量が小さい給湯機とした場合に出湯温度が設定温度になるような給湯機を提供することができる。
【図面の簡単な説明】
【図１】
本発明のヒートポンプ給湯機のヒートポンプ回路及び水回路の一実施例を示す図。
【図２】
ヒートポンプ回路運転開始後の水の温度と時間の特性曲線。
【図３】
給湯タンクをヒートポンプ回路の下部に組込んだ構成図。
【図４】
給湯タンクをヒートポンプ回路の上部に組込んだ構成図。
【図５】
給湯タンクをヒートポンプ回路の横に組込んだ構成図。
【図６】
給湯タンクをヒートポンプ回路本体の外に設けた構成図。
【符号の説明】
１…圧縮機、２…熱交換器、３…凝縮器、５…減圧装置、６…蒸発器（室外熱
交換器）、７…アキュムレータ、８…バイパス弁、９…送風機、１０…ヒートポ
ンプ回路、１１…水熱交換器、１３…給湯タンク、１５…循環ポンプ、１６…給
水管、１７…減圧弁、１９…給水管、２０…給湯管、２１…流量計、２２…水循
環回路２３…外箱、２４…蛇口、２５…シャワー、２６…浴槽、２７…使用端末
、３０…制御回路、５３…水熱交換器出口温度センサ、５６…給湯タンク温度セ
ンサー、６１、６２、６３…ミキシングバルブ